(57)【要約】【課題】紙幣の両面の真偽判定を行うことにより偽札検知機能を向上した偽札検出装置を提供する。【解決手段】紙幣２が紙幣搬送路３を搬送され、鑑別部１に入り込む。鑑別部１では、ＬＥＤ４及び５からそれぞれ、紙幣２の両面に対して紫外線が照射される。この際、ＬＥＤ４とＬＥＤ５とは、互いに交互に紫外線を照射するようにする。照射された紫外線は、紙幣２の表面で反射されてフォトダイオード６及び７に受光される。フォトダイオード６及び７はそれぞれ、受光した光を電気信号に変換し、判定部１０に当該電気信号を伝送する。判定部１０は、当該電気信号に基づいて、紙幣２の紫外線発光パターンを識別し、紙幣２の真偽判定を行う。【選択図】図１
2011118811.tif 000002
【特許請求の範囲】
【請求項１】
紙幣が搬送される紙幣搬送路と、
該紙幣搬送路に対して互い反対側に設けられた第１紫外線発光手段及び第２紫外線発光手段と、
前記紙幣搬送路に対して前記第１紫外線発光手段と同じ側に設けられ、該第１紫外線発光手段からの紫外線が前記紙幣に反射された反射光を検出する第１受光手段と、
前記紙幣搬送路に対して前記第２紫外線発光手段と同じ側に設けられ、該第２紫外線発光手段からの紫外線が前記紙幣に反射された反射光を検出する第２受光手段と
を備え、
前記紙幣が前記紙幣搬送路を搬送されている間、前記紙幣に対して、前記第１紫外線発光手段及び前記第２紫外線発光手段が互いに交互に紫外線を照射する偽札検出装置。
【請求項２】
前記紙幣搬送路を搬送される前記紙幣及び該紙幣の搬送方向に対して垂直な仮想平面を想定したときに、前記第１紫外線発光手段と、前記第２紫外線発光手段と、前記第１受光手段と、前記第２受光手段とは、前記仮想平面と交差または接するように配置されている、請求項１に記載の偽札検出装置。
【請求項３】
前記第１紫外線発光手段及び前記第１受光手段の配置と、前記第２紫外線発光手段及び前記第２受光手段の配置とは、互いに逆になっている、請求項２に記載の偽札検出装置。
【発明の詳細な説明】
【技術分野】
【０００１】
この発明は、偽札検出装置に係り、特に、紙幣に印刷された紫外線発光パターンに基づき紙幣の真偽判別を行う偽札検出装置に関する。
【背景技術】
【０００２】
従来の偽札検出装置が、例えば特許文献１に開示されている。この偽札検出装置は、紫外線発光用のＬＥＤからフィルタ及び保護板を介して紙幣表面に照射された紫外線の反射光を、ＬＥＤの出射側に配置された受光素子によって検出し、紙幣の紫外線発光パターンを識別して紙幣の真偽の判定を行うものである。
【先行技術文献】
【特許文献】
【０００３】
【特許文献１】特開２０００−９９７８７号公報
【発明の概要】
【発明が解決しようとする課題】
【０００４】
特許文献１の偽札検出装置は、紙幣の一方の側のみにＬＥＤ及び受光素子が設けられているので、紙幣の一方の面しか真偽判定ができない。紙幣の両方の面の真偽を行うためには、紙幣の両方の側にＬＥＤ及び受光素子をそれぞれ設ける必要がある。しかしながら、紙幣に照射された紫外線の一部は紙幣を透過するため、各受光素子は、反射光だけではなく、紙幣に対して反対側に配置されたＬＥＤから発せられた紫外線の透過光も検出することになり、真偽判定に影響を及ぼすといった問題点があった。
【０００５】
この発明はこのような問題点を解決するためになされたもので、紙幣の両面の真偽判定を行うことにより偽札検知機能を向上した偽札検出装置を提供することを目的とする。
【課題を解決するための手段】
【０００６】
この発明に係る偽札検出装置は、紙幣が搬送される紙幣搬送路と、該紙幣搬送路に対して互い反対側に設けられた第１紫外線発光手段及び第２紫外線発光手段と、前記紙幣搬送路に対して前記第１紫外線発光手段と同じ側に設けられ、該第１紫外線発光手段からの紫外線が前記紙幣に反射された反射光を検出する第１受光手段と、前記紙幣搬送路に対して前記第２紫外線発光手段と同じ側に設けられ、該第２紫外線発光手段からの紫外線が前記紙幣に反射された反射光を検出する第２受光手段とを備え、前記紙幣が前記紙幣搬送路を搬送されている間、前記紙幣に対して、前記第１紫外線発光手段及び前記第２紫外線発光手段が互いに交互に紫外線を照射する。
前記紙幣搬送路を搬送される前記紙幣及び該紙幣の搬送方向に対して垂直な仮想平面を想定したときに、前記第１紫外線発光手段と、前記第２紫外線発光手段と、前記第１受光手段と、前記第２受光手段とは、前記仮想平面と交差または接するように配置してもよい。
前記第１紫外線発光手段及び前記第１受光手段の配置と、前記第２紫外線発光手段及び前記第２受光手段の配置とは、互いに逆になっていてもよい。
【発明の効果】
【０００７】
この発明によれば、紙幣搬送路に対して互い反対側に設けられた第１紫外線発光手段及び第２紫外線発光手段からの紫外線の照射を交互に行うことにより、紙幣を透過した紫外線を第１受光手段及び第２受光手段が受光するのを防げるので、紙幣の両面の真偽判定が可能になり、偽札検知機能を向上することができる。
【図面の簡単な説明】
【０００８】
【図１】この発明の実施の形態に係る偽札検出装置の鑑別部の正面図である。
【図２】この実施の形態に係る偽札検出装置の鑑別部の側面図である。
【図３】この実施の形態に係る偽札検出装置の鑑別部の変形例の側面図である。
【発明を実施するための形態】
【０００９】
以下、この発明の実施の形態を添付図面に基づいて説明する。
図１に、この発明の実施の形態に係る偽札検出装置の鑑別部の正面図を示す。鑑別部１には、紙幣２が搬送される紙幣搬送路３が設けられている。図１において、紙幣２は、紙面に対して垂直な方向に搬送されるようになっている。紙幣２の搬送は、図示しない公知の送り手段、例えばローラ等により行われる。紙幣搬送路３に対して互いに反対側に、第１紫外線発光手段であるＬＥＤ４及び第２紫外線発光手段であるＬＥＤ５が設けられている。ＬＥＤ４及び５にはそれぞれ、可視光成分を除くフィルタ８及び９が設けられている。紙幣搬送路３に対してＬＥＤ４と同じ側には、ＬＥＤ４から照射された紫外線が紙幣２に反射された反射光を受光するフォトダイオード６が設けられ、紙幣搬送路３に対してＬＥＤ５と同じ側には、ＬＥＤ５から照射された紫外線が紙幣２に反射された反射光を受光するフォトダイオード７が設けられている。フォトダイオード６及び７はそれぞれ、紙幣２の真偽判定を行う判定部１０に電気的に接続されており、感度は３００〜１０００ｎｍである。ここで、フォトダイオード６及び７はそれぞれ、第１受光手段及び第２受光手段を構成する。フォトダイオード６及び７にはそれぞれ、紫外光成分を除くフィルタ１１及び１２が設けられている。
【００１０】
鑑別部１において、ＬＥＤ４及びフォトダイオード６の配置と、ＬＥＤ５及びフォトダイオード７の配置とは、互いに逆になっている。また、図２に示されるように、鑑別部１において、紙幣２及び紙幣２の搬送方向Ａに対して垂直な仮想平面Ｓを想定する。ＬＥＤ４と、ＬＥＤ５と、フォトダイオード６と、フォトダイオード７とは、仮想平面Ｓと交差するように設けられている。また、この実施の形態では、仮想平面Ｓを搬送方向Ａにずらして仮想平面Ｓ’を想定すると、仮想平面Ｓ’は、ＬＥＤ４と、ＬＥＤ５と、フォトダイオード６と、フォトダイオード７とのそれぞれに接しているとも言える。このような配置により、ＬＥＤ４と、ＬＥＤ５と、フォトダイオード６と、フォトダイオード７とが互いに接近して位置することになるので、鑑別部１を小型化し、鑑別部１以外の構成部品のレイアウトの自由度を上げることができる。
【００１１】
次に、この実施の形態に係る偽札検出装置の動作を、図１に基づいて説明する。
図示しない紙幣投入口から紙幣２を投入すると、紙幣２が紙幣搬送路３を搬送され、鑑別部１に入り込む。鑑別部１では、ＬＥＤ４及び５からそれぞれ、紙幣２の両面に対して紫外線が照射される（実線矢印）。照射される紫外線のピーク波長は３６５〜３７５ｎｍである。照射された紫外線は、紙幣２の表面で反射されて（破線矢印）フォトダイオード６及び７に受光される。フォトダイオード６及び７はそれぞれ、受光した光を電気信号に変換し、判定部１０に当該電気信号を伝送する。判定部１０は、当該電気信号に基づいて、紙幣２の紫外線発光パターンを識別し、紙幣２の真偽判定を行う。
【００１２】
しかしながら、ＬＥＤ４及び５のそれぞれから照射された紫外線の一部は、紙幣２を透過するため、フォトダイオード６及び７はそれぞれ、反射光以外にも透過光も受光してしまい、真偽判定に悪影響を及ぼしてしまう。そこで、ＬＥＤ４から紫外線が照射される時はＬＥＤ５からの紫外線の照射をやめ、逆にＬＥＤ５から紫外線が照射される時はＬＥＤ４からの紫外線をやめるようにする。すなわち、ＬＥＤ４とＬＥＤ５とが互いに交互に紫外線を照射するようにする。これにより、ＬＥＤ４から照射された紫外線の反射光をフォトダイオード６が受光する時には、ＬＥＤ５から紫外線が照射されなくなるので、フォトダイオード６が透過光を受光することはない。またこの逆の場合も同様である。
【００１３】
尚、ＬＥＤ４とＬＥＤ５とから交互に紫外線を照射させるインターバルについては、紙幣２の搬送速度にも依存するが、各ＬＥＤが毎秒約１００回程度の回数紫外線を照射するようにするのが好ましい。また、紙幣の種類（金額の違い、あるいは日本紙幣か外国紙幣かの違い）によって、紙幣に印刷された紫外線パターンも異なるので、その紫外線パターンに合わせて各ＬＥＤから紫外線を照射するようにしてもよい。
【００１４】
このように、紙幣搬送路３に対して互い反対側に設けられたＬＥＤ４及び５からの紫外線の照射を交互に行うことにより、紙幣２を透過した紫外線をフォトダイオード６及び７が受光するのを防げるので、紙幣２の両面の真偽判定が可能になり、偽札検知機能を向上することができる。
また、紙幣搬送路３を搬送される紙幣２及び紙幣２の搬送方向Ａに対して垂直な仮想平面Ｓを想定したときに、ＬＥＤ４と、ＬＥＤ５と、フォトダイオード６と、フォトダイオード７とを、仮想平面Ｓと交差または接するように配置することにより、それらが互いに接近して位置することになるので、鑑別部１を小型化し、鑑別部１以外の構成部品のレイアウトの自由度を上げることができる。
さらに、ＬＥＤ４及びフォトダイオード６の配置と、ＬＥＤ５及びフォトダイオード７の配置とは、互いに逆になっていることにより、ＬＥＤ４の延長線上にフォトダイオード７ではなくＬＥＤ５が配置されているので、ＬＥＤ４から照射された紫外線（透過光）のフォトダイオード７に与える影響を低減することができる。ＬＥＤ５とフォトダイオード６との関係についても同様である。
【００１５】
この実施の形態では、ＬＥＤ４と、ＬＥＤ５と、フォトダイオード６と、フォトダイオード７とは、それらが全て仮想平面Ｓと交差するように、あるいは、それらが全て仮想平面Ｓ’に接するように設けられていたが、この形態に限定するものではない。例えば、図３に示されるように、ＬＥＤ５及びフォトダイオード７の位置を僅かに動かすことにより、ＬＥＤ５及びフォトダイオード７は仮想平面Ｓと交差するものの、ＬＥＤ４及びフォトダイオード６は仮想平面Ｓと接するように配置してもよい。
【００１６】
この実施の形態では、ＬＥＤ４及びフォトダイオード６の配置と、ＬＥＤ５及びフォトダイオード７の配置とは、互いに逆になっていたが、同じ配置にしてもよい。
【符号の説明】
【００１７】
２  紙幣、３  紙幣搬送路、４  ＬＥＤ（第１紫外線発光手段）、５  ＬＥＤ（第２紫外線発光手段）、６  フォトダイオード（第１受光手段）、７  フォトダイオード（第２受光手段）、Ｓ，Ｓ’  仮想平面。
【図１】
2011118811.tif 000003
【図２】
2011118811.tif 000004
【図３】
2011118811.tif 000005